(57)【特許請求の範囲】
【請求項１】
鋼管杭を掴む杭圧入引抜機のチャックの前後位置に圧入連動制御可能にホース巻取り装置を搭載し、これらホース巻取り装置から延びるジェットノズルによるウォータジェットを鋼管杭の前後の各セクションに及ばせて圧入する鋼管杭のウォータジェット工法。
【請求項２】
鋼管杭を掴むチャックと、このチャックを昇降させる昇降体と、この昇降体の昇降動作をその後方から案内支持する圧入機本体とからなる杭圧入引抜機において、前記圧入機本体にジェットノズルのホース巻取り装置を設けるとともに、前記昇降体の前部に別のジェットノズルのホース巻取り装置を設け、これらを昇降体の昇降動作と連動制御することを特徴とするウォータジェット工法用の杭圧入引抜機。
【請求項３】
前記ホース巻取り装置を２本巻に構成し、それぞれのホースをチャックの左右幅の中央線を挟んで配置したことを特徴とする請求項２記載のウォータジェット工法用の杭圧入引抜機。
【請求項４】
前記昇降体前部にホース巻取り装置取付け用の架台を設け、この架台を昇降体に対して着脱可能に構成したことを特徴とする請求項２記載のウォータジェット工法用の杭圧入引抜機。
【発明の詳細な説明】
【０００１】
【発明の属する技術分野】
本発明は、鋼管杭のウォータジェット工法及び同工法用の杭圧入引抜機に関し、特に、鋼管杭の前後のセクションの閉塞を抑えて硬質地盤に対する鋼管杭の圧入能率を確保しうる鋼管杭のウォータジェット工法及び同工法用の杭圧入引抜機に関する。
【０００２】
【従来の技術】
図５は従来のウォータジェット工法用の杭圧入引抜機の側面図である。
従来のウォータジェット工法用の杭圧入引抜機１０１は、マスト１０２の上部にホース巻取り装置１０３を備える。この杭圧入引抜機による鋼管杭の圧入は、杭列方向の前後長さに対して左右幅の大きい円筒状の鋼管杭Ｐ１をチャック１０４にセットするとともに、鋼管杭Ｐ１の両サイドにウォーターホース１０５を沿わせ、先端のジェットノズル１０６を鋼管杭Ｐ１に固定して共に圧入する。
【０００３】
図６は従来のウォータジェット工法によるノズル配置図である。
鋼管杭Ｐ１の両サイドにジェットノズル１０６，１０６を配置し、このノズルから地盤に向かって噴射されるウォータジェットにより、地盤中への杭圧入の能率を確保することができる。
【０００４】
硬質地盤の場合は、既設杭列Ｐ…および次に圧入する隣接杭と接続するための鋼管杭Ｐ１のセクションＣ，Ｄが土石によって閉塞され、杭の圧入に支障を来たすことがある。これを防止するために、上記鋼管杭Ｐ１の前後のセクションＣ，Ｄの近傍にジェットノズルを配置することにより、同セクションの土石による閉塞を抑えて硬質地盤でも能率よく鋼管杭を圧入することができる。
【０００５】
そのためには、ホースの取り廻しの制限により、幅方向寸法が大きい鋼管杭Ｐ１の側方を超えてその先にホースを延ばすことができないので、鋼管杭の後側のセクションに杭圧入引抜機からジェットホースを延ばすとともに、他方の前側のセクションのジェットホースは鋼管杭の前方側の地上に別のホース巻取り装置を配置する必要がある。
【０００６】
【発明が解決しようとする課題】
しかしながら、地上に設けたホース巻取り装置は、圧入動作と連動動作する杭圧入引抜機に搭載のものと違い、杭圧入の都度さらに前方へ場所を移動させる作業を含め、ホースの繰出しと巻取りを作業員の操作に頼らざるを得ず、杭圧入引抜機の動作と合わせるべく協調制御することが困難なので、例えば、杭の圧入の際に、ホースの繰出しが遅れるとホースが引張られてノズルが圧入杭から外れることがあり、逆にホースの繰出しが速いと、ホースが弛んで圧入杭に絡まることがある。このように、圧入能率の改善のための方策が、逆に圧入工程の能率低下を招くこととなる場合がある。
【０００７】
本発明の目的は、鋼管杭の前後のセクションの閉塞を抑えて硬質地盤に対する鋼管杭の圧入能率を確保しうる鋼管杭のウォータジェット工法及び同工法用の杭圧入引抜機を提供することにある。
【０００８】
【課題を解決するための手段】
上記課題を解決するために、鋼管杭を掴む杭圧入引抜機のチャックの前後位置に圧入連動制御可能にホース巻取り装置を搭載し、これらホース巻取り装置から延びるジェットノズルによるウォータジェットを鋼管杭の前後の各セクションに及ばせて圧入する方法により鋼管杭のウォータジェット工法を構成する。
上記ウォータジェット工法は、ホース巻取り装置の圧入連動制御によってホース巻取り装置の圧入動作との連動調整作業を要することなく、圧入の際の杭の前後のセクションの閉塞を抑えることができるので、硬質地盤に対する鋼管杭の圧入能率を確保することができる。
【０００９】
鋼管杭を掴むチャックと、このチャックを昇降させる昇降体と、この昇降体の昇降動作をその後方から案内支持する圧入機本体とからなる杭圧入引抜機において、前記圧入機本体にジェットノズルのホース巻取り装置を設けるとともに、前記昇降体の前部に別のジェットノズルのホース巻取り装置を設け、これらを昇降体の昇降動作と連動制御するべく、ウォータジェット工法用の杭圧入引抜機を構成する。
【００１０】
圧入機本体および昇降体前部にそれぞれジェットノズルのホース巻取り装置を設けてウォータジェット工法用の杭圧入引抜機を構成したことから、この杭圧入引抜機は、チャックに掴んだ鋼管杭の後側および前側からホースを延ばすことができる。
よって、ウォータジェットが鋼管杭の後側および前側のセクションに及ぶべく、上記ホースのそれぞれのジェットノズルを鋼管杭の後側および前側のセクションの近傍に配置することができる。その結果、圧入の際の前後のセクションの閉塞を抑えることができるので、ホース巻取り装置の圧入連動制御の効果と合わせ、硬質地盤に対する鋼管杭の圧入能率を確保することができる。
【００１１】
前記ホース巻取り装置を２本巻に構成し、それぞれのホースをチャックの左右幅の中央線を挟んで配置した場合は、各セクションを挟む両側位置にノズルを配置することができるので、ウォータジェットが両側からセクションに及び、その閉塞を効率よく解消できる。また、前記昇降体前部のホース巻取り装置取付け用の架台を設け、この架台とともに着脱可能に構成した場合は、必要に応じて最小限度の構成が可能となるので、地盤条件に適した構成が可能となる。
【００１２】
【発明の実施の形態】
上記技術的思想を適用した具体的な実施形態について以下に説明する。
図１は本発明のウォータジェット工法用の杭圧入引抜機の側面図である。
杭圧入引抜機１は、サドル２とマスト３からなる圧入機本体４に、そのマスト３の前方に昇降体５を備え、上記マスト３の上部と昇降体５の前部にそれぞれホース巻取り装置６，７を設けて構成する。
【００１３】
サドル２は、既設杭列に固定するための複数のクランプ８…を備えるとともに、上記マスト３を前後にスライド可能に、かつ、縦軸回転が可能に支える。このマスト３によって昇降体５を昇降可能に支持し、この昇降体５に前後の長さに対して左右方向に幅広の鋼管杭を掴むチャック９を備える。
【００１４】
圧入機本体側のホース巻取り装置６および昇降体側のホース巻取り装置７は、２本のウォータージェットホース６ａ，７ａを巻取り可能に２本巻に構成し、それぞれのホースをチャック９の左右幅の中央線を挟んで左右に略対称に配置する。
【００１５】
図２は図１の要部拡大図である。
昇降体５の前部にホース巻取り装置７用の架台１１を取付ける。この架台１１は、ホース巻取り装置を取付けるためのブラケット１２を上部に備えるとともに、昇降体５側の端部に抜き差し可能なピン１３，１３を備える。このピンは手動操作可能なようにリングトップをなし、このピン１３，１３を挿通しうるブラケット１４を昇降体５に突設する。
【００１６】
図３は図２のＩＩＩ矢視図である。
架台１１は、昇降体５の前方にチャック９の左右幅の中央線１５に合わせてピン１３，１３によって着脱可能に取付ける。上記ブラケット１２を介して架台１１上にホース巻取り装置を取付けることにより、２本巻構成のホース巻取り装置７のそれぞれのホースがチャック９の中央線１５を挟んで左右に略対称に配置され、また、ホース巻取り装置を使用しない場合はピンを抜くことにより、架台を含めた全体を取り外すことができる。したがって、軟質地盤等の場合は不必要な部分を除いた最小限の構成で能率よく圧入等を進めることができる。
【００１７】
図４は図１の杭圧入引抜機によるノズル配置図である。
鋼管杭Ｐ１の圧入の際は、ウォータジェットが鋼管杭の前側および後側のセクションＣ，Ｄに及ぶべく、鋼管杭Ｐ１の後側のセクションＤの近傍両側に上記本体側のホース巻取り装置から延びるジェットノズル６ｂ，６ｂを配置し、また、前側のセクションＣの近傍両側に上記昇降体側のホース巻取り装置から延びるジェットノズル７ｂ，７ｂを配置する。
【００１８】
これら後側のジェットノズル６ｂ，６ｂおよび前側のジェットノズル７ｂ，７ｂにより、鋼管杭Ｐ１の圧入の際にその前後のセクションＤ，Ｃの土石による閉塞を抑えることができるので、既設杭列の杭Ｐ…との間のセクションＤの閉塞による破損等を防止して正規の嵌合を確保し、かつ、次の杭のためのセクションＣの空隙を確保することができる。
また、ジェットノズルそれぞれのホース巻取り装置を昇降体による圧入動作と連動させることにより、硬質地盤において鋼管杭を能率よく圧入することが可能となる。
【００１９】
このように、チャックの前後位置に圧入連動制御可能に搭載したホース巻取り装置を介してウォータジェットを鋼管杭の前後の各セクションに及ばせて圧入することから、このウォータジェット工法は、ホース巻取り装置の圧入連動制御によってホース巻取り装置の圧入連動調整作業を要することなく、圧入の際の杭の前後のセクションの閉塞を抑えることができるので、硬質地盤に対する鋼管杭の圧入能率を確保することができる。
なお、ジェットホースの本数は、必要に応じてホース巻取り装置を１本巻とし、または２本巻の１本を使用することによって前後各１本による片側ノズル配置とし、または、前後の使用本数を任意に選択することも可能であることから、その説明を省略する。
【００２０】
【発明の効果】
本発明による鋼管杭のウォータジェット工法及び同工法用の杭圧入引抜機は以下の効果を奏する。
チャックの前後位置に圧入連動制御可能に搭載したホース巻取り装置を介してウォータジェットを鋼管杭の前後の各セクションに及ばせて圧入することから、このウォータジェット工法は、ホース巻取り装置の圧入連動制御によってホース巻取り装置の圧入動作との連動調整作業を要することなく、圧入の際の杭の前後のセクションの閉塞を抑えることができるので、硬質地盤に対する鋼管杭の圧入能率を確保することができる。
【００２１】
圧入機本体および昇降体前部にそれぞれジェットノズルのホース巻取り装置を設けてウォータジェット工法用の杭圧入引抜機を構成したことから、この杭圧入引抜機は、チャックに掴んだ鋼管杭の後側および前側からホースを延ばすことができる。
よって、ウォータジェットが鋼管杭の後側および前側のセクションに及ぶべく、上記ホースのそれぞれのジェットノズルを鋼管杭の後側および前側のセクションの近傍に配置することができる。その結果、圧入の際の前後のセクションの閉塞を抑えることができるので、ホース巻取り装置の圧入連動制御の効果と合わせ、硬質地盤に対する鋼管杭の圧入能率を確保することができる。
【００２２】
前記ホース巻取り装置を２本巻に構成し、それぞれのホースをチャックの左右幅の中央線を挟んで配置した場合は、各セクションを挟む両側位置にノズルを配置することができるので、ウォータジェットが両側からセクションに及び、その閉塞を効率よく解消できる。また、前記昇降体前部のホース巻取り装置取付け用の架台を設け、この架台とともに着脱可能に構成した場合は、必要に応じて最小限度の構成が可能となるので、地盤条件に適した構成が可能となる。
【図面の簡単な説明】
【図１】本発明のウォータジェット工法用の杭圧入引抜機の側面図
【図２】図１の要部拡大図
【図３】図２のＩＩＩ矢視図
【図４】図１の杭圧入引抜機によるノズル配置図
【図５】従来のウォータジェット工法用の杭圧入引抜機の側面図
【図６】従来のウォータジェット工法によるノズル配置図
【符号の説明】
１    杭圧入引抜機
３    マスト
４    圧入機本体
５    昇降体
６，７    ホース巻取り装置
６ｂ，７ｂ    ジェットノズル
９    チャック
６ａ，７ａ    ウォータージェットホース
１１    架台
１３    ピン
１４    ブラケット
１５    チャックの中心線
Ｐ１    鋼管杭
Ｐ    既設杭
Ｃ，Ｄ    セクション
【図１】
0003648387.tif 000002
【図２】
0003648387.tif 000003
【図３】
0003648387.tif 000004
【図４】
0003648387.tif 000005
【図５】
0003648387.tif 000006
【図６】
0003648387.tif 000007